(57)【要約】      （修正有）【課題】道路やその周辺において防音パネルを施工する際に、施工が簡便になる防音パネルの施工方法及びそれに用いる係止具を提供する。【解決手段】吊り具２により吊り下げた係止具１を防音パネルの上面左右端部に夫々設けられた切欠部内縁に係止し、防音パネルを吊り下げ、支柱の凹溝間の落とし込んだ後、吊り具２を切欠部内縁の係止から開放し、容易に係止具１を切欠部から引き抜くことができるため、従来の防音パネルの施工方法の如く、バール等の治具を用いて防音パネルの底部を浮かせ吊り具を抜き取る必要がなく、防音パネルの施工を簡便に行うことができ、防音パネルの施工時間を短縮することができる。【選択図】図１
2006090037.tif 000002
【特許請求の範囲】
【請求項１】
Ｈ型鋼のフランジ間に形成された凹溝を相対向させて、少なくとも２本の支柱が立設された支柱の前記凹溝間に防音パネルの端部を落とし込んで防音パネルを施工する防音パネルの施工方法であって、防音パネルの上面左右端部に切欠部を夫々設け、吊り具により吊り下げた係止具を前記切欠部内に挿入し、切欠部内縁に係止させて防音パネル吊り下げ、支柱の凹溝間に落とし込むと共に、落とし込んだ後、前記吊り具を切欠部内縁の係止から開放し、係止具を前記切欠部から引き抜くことを特徴とする防音パネルの施工方法。
【請求項２】
請求項１に記載の防音パネルの施工に用いる係止具であって、防音パネルの上面左右端部に設けられた切欠部の内形より小形の幅と、切欠部の内形より大形の長さとを備え、吊り具により長手方向の中心から偏心した位置で吊り下げられることを特徴とする防音パネルの施工方法に用いる係止具。
【発明の詳細な説明】
【技術分野】
【０００１】
本発明は、道路の外側や中央分離帯等、道路周辺に設置され、車両が発生する騒音を低減する防音壁を構成する防音パネルの施工方法とその施工時に用いる防音パネルの施工方法及びそれに用いる係止具に関するものである。
【背景技術】
【０００２】
道路周辺に設置され車両の騒音を低減する防音壁を構成する防音パネルの施工方法及びそれに用いる係止具について、例えば特許文献１の図１１には、従来からの防音パネルの施工方法として、施工現場で防音パネルを吊り上げ、Ｈ型鋼のフランジ間に形成された凹溝を相対向させてなる隣接支柱の凹溝間に上から落とし込み、複数段に防音パネルを積み上げて施工する落とし込み式と称せられる防音パネルの施工方法が開示されている。
【０００３】
【特許文献１】特開２０００−２９０９３９号公報
【発明の開示】
【発明が解決しようとする課題】
【０００４】
しかしながら、特許文献１に記載の落とし込み式による防音パネルの施工方法については、ナイロンスリング等の吊り具２本を防音パネル底面に掛け防音パネルを吊り上げ、支柱であるＨ型鋼のフランジ間に形成された凹溝に落とし込んだ後、バール等の治具を用いて落とし込んだ防音パネルの底面を浮かせ、吊り具を抜き取る必要があるため、防音パネルの施工に時間を要すると言う問題があった。
【０００５】
本発明は上記の如き課題を解決するためになされたものであり、道路やその周辺において防音パネルを施工する際に、施工が簡便になる防音パネルの施工方法及びそれに用いる係止具を提供せんとするものである。
【課題を解決するための手段】
【０００６】
上記目的を達成するため、本発明は以下のような構成としている。すなわち、本発明に係わる防音パネル施工方法は、Ｈ型鋼のフランジ間に形成された凹溝を相対向させて、少なくとも２本の支柱が立設された支柱の前記凹溝間に防音パネルの端部を落とし込んで防音パネルを施工する防音パネルの施工方法であって、防音パネルの上面左右端部に切欠部を夫々設け、吊り具により吊り下げた係止具を前記切欠部内に挿入し、切欠部内縁に係止させて防音パネル吊り下げ、支柱の凹溝間に落とし込むと共に、落とし込んだ後、前記吊り具を切欠部内縁の係止から開放し、係止具を前記切欠部から引き抜くことを特徴とするものである。
【０００７】
また、本発明に係わる防音パネルの施工方法に用いる係止具を、防音パネルの上面左右端部に設けられた切欠部の内形より小形の幅と、切欠部の内形より大形の長さとを備え、吊り具により長手方向の中心から偏心した位置で吊り下げられるようにしてもよい。
【発明の効果】
【０００８】
本発明に係わる防音パネルの施工方法によれば、吊り具により吊り下げた係止具を防音パネルの上面左右端部に夫々設けられた切欠部内縁に係止し、防音パネルを吊り下げ、支柱の凹溝間の落とし込んだ後、吊り具を切欠部内縁の係止から開放し、容易に係止具を切欠部から引き抜くことができるため、従来の防音パネルの施工方法の如く、バール等の治具を用いて防音パネルの底部を浮かせ吊り具を抜き取る必要がなく、防音パネルの施工を簡便に行うことができ、防音パネルの施工時間を短縮することができる。
【０００９】
また、本発明に係わる防音パネルの施工方法に用いる係止具を、防音パネルの上面左右端部に設けられた切欠部の内形より小形の幅と、切欠部の内形より大形の長さとを備えるようにすれば、吊り具により吊り下げた係止具を防音パネルの上面左右端部に夫々設けられた切欠部内縁に係止し、防音パネルを吊り下げ、支柱の凹溝間の落とし込んだ後、防音パネル上面端部と支柱の隙間が狭小であっても、切欠部から上方に係止具を抜き出すことができ、更に、係止具を、係止具の長手方向の中心から偏心した位置で吊り具により吊り下げるようにすれば、吊り具の係止を開放した時、係止具は略垂直方向に傾いた状態になるため、外力を加えることなく切欠部から上方に係止具を簡単に抜き出すことができる。
【発明を実施するための最良の形態】
【００１０】
本発明に係わる最良の実施の形態について、図面に基づき以下に具体的に説明する。
図１は、本発明に係わる防音パネルの施工方法に用いる係止具の、実施の一形態を示す斜視図である。１は防音パネルの施工方法に用いる係止具であり、防音パネルを吊る吊り具２であるワイヤーロープ２１を係止するためのＵ字型シャックル２２を、挿通し係止できる円形の係止部１１と、平板状の平坦部１２とからなされており、係止部１１は平坦部１２の上面の中心から偏心した位置に取着されている。
【００１１】
図２のイ）〜ニ）は、本発明に係わる防音パネルの施工方法に用いる係止具を用いて防音パネルを施工する時の、防音パネルの施工方法に用いる係止具の状態を示す部分の流れ図である。
イ）はＨ型鋼のフランジ間に形成された凹溝に、吊り上げられた防音パネル１０を落とし込み下段の防音パネル上面に載置された時の防音パネルの施工方法に用いる係止具１の状態を示す説明図である。防音パネル１０の上面３端部には端辺に向けてＵ字型に開口された切欠部４が設けられており、防音パネルの施工方法に用いる係止具１の平坦部１２の長辺長さは上面３の幅よりも短くなされており、その平坦部１２の長辺側が切欠部４を掛け渡すように上面３の下側面に平坦部１２の上側面が当接した状態となっている。また、平坦部１２の短辺は切欠部４の切欠長さよりも短くなされている。更にこの状態では、係止部１１は切欠部４から上側に向けて突出した状態にあり、係止部１１の上方にワイヤーロープ２１で引き上げられた状態にあるＵ字型シャックル２２に係止されている。
ロ）はイ）の状態からワイヤーロープ２１を下方に下げ左方向にずらした状態を示す説明図である。ワイヤーロープ２１を下げることにより、防音パネルの施工方法に用いる係止具１の平坦部１２は上面３の下面から離れた状態となされている。係止部１１は平坦部１２の中心から偏心した位置に取着されているため、平坦部１２が防音パネル１０の上面３の下面から離れた状態になれば、Ｕ字型シャックル２２に係止されている部分を支点にし、防音パネルの施工方法に用いる係止具１が傾いた状態になる。
ハ）はロ）の状態からワイヤーロープ２１を上方に引き上げた状態を示す説明図である。この時、平坦部１２の短辺の長さが切欠部４の切欠長さより短くなされているため、防音パネルの施工方法に用いる係止具１は防音パネル１０上面３の切欠部４から上方に抜き出されることとなる。
【００１２】
かかる構造を有する防音パネルの施工方法に用いる係止具１を用いて、上述の如く防音パネル１０を吊ったワイヤーロープ２１を下方に下げさえすれば、防音パネルの施工方法に用いる係止具１を簡単に切欠部４から抜き出すことができるため、防音パネルを非常に簡便に施工することができる。
【００１３】
ここで、防音パネルの施工方法に用いる係止具１を構成する係止部１１及び平坦部１２の材質に関して、係止部１１及び平坦部１２は防音パネル１０を吊り上げるのに絶え得る強度を有するものであれば特に限定されるわけでなく、鉄鋼、アルミニウム、ステンレス、チタン、亜鉛、等の金属材料や、ＦＲＰに代表される繊維強化された樹脂材料を用いても良い。
【００１４】
更に、係止部１１と平坦部１２は金属材料の鋳造や樹脂材料の射出成型等により一体に形成されても良いし、金属材料の溶接や樹脂材料の溶着若しくは接着剤等により、各々別体のものを一体に加工することにより作成しても良いが、加工の手間やコスト更には材料コストを考慮し、鉄鋼材をアーク溶接で作成するのが最も好ましい。
【図面の簡単な説明】
【００１５】
【図１】本発明に係わる防音パネルの施工方法に用いる係止具の実施形態を示す斜視図である。
【図２】本発明に係わる防音パネルの施工方法に用いる係止具を用いて防音パネルを施工する時の、防音パネルの施工方法に用いる係止具の状態を示す部分の流れ図である。
【符号の説明】
【００１６】
１    防音パネルの施工方法に用いる係止具
１１  係止部
１２  平坦部
２    吊り具
２１  ワイヤーロープ
２２  Ｕ字型シャックル
３    上面
４    切欠部
１０  防音パネル
【図１】
2006090037.tif 000003
【図２】
2006090037.tif 000004